(57)【特許請求の範囲】
【請求項１】
輸液装置の情報を、着脱部を介して、前記輸液装置に着脱自在に設けられた無線通信装置から、無線で取得する機器情報取得部と、
前記機器情報取得部で取得した薬剤の投与情報を送信する送信部と、
前記送信部で実行された前記薬剤の投与情報の送信状態の適否を判断する送信状態判断部と、
使用者に警報情報を報知する警報情報報知部と、を有し、
前記送信状態判断部で前記薬剤の投与情報の送信状態が不適と判断されたときに、この不適と判断された前記薬剤の投与情報を送信不適情報として記憶する送信不適情報記憶部と、
前記送信不適情報が所定の記憶量を超える量蓄積されたか否かを判断する蓄積量判断部と、を有し、
前記蓄積量判断部が所定の記憶量を超える量蓄積されたと判断したときに、前記警報情報報知部が動作する構成となっていること特徴とする通信管理装置。
【請求項２】
前記輸液装置と接続され、
前記薬剤の投与情報を管理サーバに送信する構成となっていることを特徴する請求項１に記載の通信管理装置を有する通信管理システム。
【発明の詳細な説明】
【技術分野】
【０００１】
本発明は、病院における複数の医療機器の通信状態等を管理するための通信管理装置及び通信管理システムに関するものである。
【背景技術】
【０００２】
従来より、病院内の患者のベッドサイドに配置される医療機器と、病院内の他の場所に配置されるサーバとを無線通信で結び、当該医療機器が正確なデータをサーバから取得し、これにより、過誤等がなく、薬剤等が患者に投与等されるというシステムは提案されてきた（例えば、特許文献１）。
【先行技術文献】
【特許文献】
【０００３】
【特許文献１】特表２００８−５２９６７５号公報
【発明の概要】
【発明が解決しようとする課題】
【０００４】
また、例えば、病院内で患者に正確な薬液の注入を施す際には、注入量（ｍＬ），注入速度（ｍＬ／ｈ）を制御するための輸液ポンプ等がベッドサイド等で使用されている。この輸液ポンプの注入量（ｍＬ），注入速度（ｍＬ／ｈ）等のデータは、輸液ポンプの外部通信端末から通信ケーブルを介して院内ＬＡＮ等を経て病院内のデータ管理装置等に送信され、看護師等の医療従事者がナースステーション等でモニターすることができるようになっている。しかし、輸液ポンプ等の医療機器は、ＡＣ電源と内蔵のバッテリのいずれでも動作可能であり、病院内で患者とともに移動可能となっているため、病院内の他の場所に設置されているデータ管理装置との通信が困難な場所に移動することがある。また、医療機器等の故障等により送信不可となる場合もある。このような場合、医療機器から送信すべき情報の全部又は一部がデータ管理装置に送信されず、このため、診断等に問題が生じるおそれがあった。
【０００５】
そこで、本発明では、医療機器からの情報の送信に障害が発生したことを迅速に報知する通信管理装置及び通信管理システムを提供することを目的とする。
【課題を解決するための手段】
【０００６】
前記課題は、本発明によれば、輸液装置の情報を、着脱部を介して、前記輸液装置に着脱自在に設けられた無線通信装置から、無線で取得する機器情報取得部と、前記機器情報取得部で取得した薬剤の投与情報を送信する送信部と、前記送信部で実行された前記薬剤の投与情報の送信状態の適否を判断する送信状態判断部と、使用者に警報情報を報知する警報情報報知部と、を有し、前記送信状態判断部で前記薬剤の投与情報の送信状態が不適と判断されたときに、この不適と判断された前記薬剤の投与情報を送信不適情報として記憶する送信不適情報記憶部と、前記送信不適情報が所定の記憶量を超える量蓄積されたか否かを判断する蓄積量判断部と、を有し、前記蓄積量判断部が所定の記憶量を超える量蓄積されたと判断したときに、前記警報情報報知部が動作する構成となっていること特徴とする通信管理装置により達成される。
【０００７】
前記構成によれば、送信部で実行された機器情報の送信状態の適否を判断する送信状態判断部と、使用者に警報情報を報知する警報情報報知部と、を有し、送信状態判断部で機器情報の送信状態が不適と判断されたときに、警報情報報知部が動作する構成となっている。
このため、送信部で実行された機器情報の送信状態が不適で、例えば、機器情報が送信されていない場合は、アラーム表示やアラーム音等の警報情報が報知されるので、利用者に、かかる事実等を迅速に伝達することができ、診断等に問題等が生じるのを未然に防ぐことができる。
【０００８】
好ましくは、前記通信管理装置が前記医療機器に着脱可能な構成となっていることを特徴とする通信管理装置である。
【０００９】
前記構成によれば、通信管理装置が医療機器に着脱可能な構成となっているので、新たに医療機器自体の設計等を大きく変更することなく、通信管理装置を医療機器に接続するだけで、その医療機器の情報を他の管理装置等に送信することができ、また、その送信が不適な場合には、その事実等を使用者等に報知することができるようになっている。
このため、上記システムを極めて低コストで構築することができる。
【００１１】
前記構成によれば、送信状態判断部で機器情報の送信状態が不適と判断されたときに、この不適と判断された機器情報を送信不適情報として記憶する送信不適情報記憶部と、送信不適情報が所定量蓄積されたか否かを判断する蓄積量判断部と、を有し、蓄積量判断部が所定量蓄積されたと判断したときに、警報情報報知部が動作する構成となっている。
このため、送信状態判断部で機器情報の送信状態が不適と判断されたときに、直ちに、警報情報報知部が動作することがなく、送信不適情報が所定量蓄積されたときに初めて、警報情報報知部が動作する構成となっている。
したがって、例えば、部分的に、又は、間欠的に機器情報が送信できない場合でも、１回の不送信で直ちに、警報情報が報知されるのではないので、必要以上に警報が報知されるという事態の発生を未然に防止することができ、適切な警報の報知を担保することができる。
【００１３】
好ましくは、  前記輸液装置と接続され、前記薬剤の投与情報を管理サーバに送信する構成となっていることを特徴する通信管理装置を有する通信管理システムである。
【発明の効果】
【００１４】
本発明は、医療機器からの情報の送信に障害が発生したことを迅速に報知する通信管理装置及び通信管理システムを提供することができるという利点がある。
【図面の簡単な説明】
【００１５】
【図１】本発明の第１の実施の形態に係る通信管理装置である例えば、無線通信装置を有する通信管理システムを示す概略図である。
【図２】主に図１の輸液装置及び無線通信装置等の内部構成等を示す概略図である。
【図３】第１の実施の形態に係る通信管理システム１の主な動作等を示す概略フローチャートである。
【図４】本発明の第２の実施の形態に係る通信管理システム及び輸液装置及び無線通信装置等の内部構成を示す概略図である。
【図５】第２の実施の形態に係る通信管理システムの主な動作等を示す概略フローチャートである。
【発明を実施するための形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
（第１の実施の形態）
図１は、本発明の第１の実施の形態に係る通信管理装置である例えば、無線通信装置１０を有する通信管理システム１を示す概略図である。
図１に示すように、例えば病院等に入院している患者５が薬剤注入用輸液チューブ（図示せず）を介して薬剤の投与を受ける場合には、注入量（ｍＬ），注入速度（ｍＬ／ｈ）を正確に制御するための医療機器である、例えば、輸液装置２により行われる。
この輸液装置２には、無線通信装置１０が着脱可能に接続され、この無線通信装置１０は、病院内の各病室に配置され、赤外線にて無線で、データ管理部装置３の端末３ａ，院内ＬＡＮ（不図示）を経て、各種データを管理するデータ管理部装置３とデータ通信が可能な構成となっている。
また、このデータ管理部装置３は、病院内の各部門のシステム４と院内ＬＡＮ等で接続されており、このため、部門システム４は、データ管理部装置３から必要なデータを取得可能な構成となっている。
また、無線通信装置１０には、輸液装置２と着脱可能にするための着脱部１３を備えている。  
【００１８】
例えば、注入量（ｍＬ），注入速度（ｍＬ／ｈ）を厳重に管理すべき昇圧剤や降圧剤等を患者５に投与する際、その注入量（ｍＬ），注入速度（ｍＬ／ｈ）等を輸液装置２で正確に制御するが、本実施の形態では、この注入量（ｍＬ），注入速度（ｍＬ／ｈ）のデータを看護師，医師等の医療従事者が離れてモニターすることができる構成となっている。
すなわち、輸液装置２の注入量（ｍＬ），注入速度（ｍＬ／ｈ）や動作状態のデータが無線通信装置１０を介して、赤外線にてデータ管理部装置３の端末３ａ，院内ＬＡＮ（不図示）を経てデータ管理部装置３へ送信され、蓄積される。したがって、医師等は、自己の所在する部門システム４を介して、データ管理部装置３に接続することで、自己の患者５のデータをモニターすることができるようになっている。
【００１９】
また、本実施の形態の無線通信装置１０は、輸液装置２と着脱可能な構成となっている。このため、本実施の形態の通信管理システム１では、既存の輸液装置２に着脱部１３を用いて無線通信装置１０を装着するだけでよく、通信をするために輸液装置２の外部通信部の構成に大きな変更等をする必要がない。したがって、極めて低コストであるシステムとなっている。
【００２０】
図１の輸液装置２、無線通信装置１０、データ管理部装置３及び部門システム４は、それぞれ、コンピュータを有している。このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２１】
図２は、主に図１の輸液装置２及び無線通信装置１０等の内部構成等を示す概略図である。図２に示すように、輸液装置２は、輸液装置制御部２４を有し、この輸液装置制御部２４が、輸液装置本体部２２及び送信用データ記憶部２３を制御する構成となっている。この輸液装置本体部２２は、注入量（ｍＬ），注入速度（ｍＬ／ｈ）を正確に制御する構成等を有し、送信用データ記憶部２３は、輸液装置本体部２２の動作データ等を記憶する構成となっている
また、無線通信装置１０は、無線通信装置制御部１２を有し、通信装置１４、アラーム表示装置１５及びアラーム音発生装置１６等を制御する構成となっている。
通信装置１１は、図１に示す無線通信装置用アンテナ１１ａを有し、通信装置１１は、この無線通信装置用アンテナ１１ａ等を介してデータの送受信等を行う構成となっている。
また、アラーム表示装置１５は、無線通信装置１０の表面に配置されるディスプレイを有し、このディスプレイにアラーム等の警報、例えば、表示灯の点滅等を表示する構成となっている。
また、アラーム音発生装置１６は、スピーカ等を有し、アラーム音等を出力する構成となっている。
【００２２】
図３は、本実施の形態に係る通信管理システム１の主な動作等を示す概略フローチャートである。
以下、図３のフローチャートに沿って、通信管理システム１の動作等を説明しながら図２の各構成等についても説明する。
先ず、例えば、病院の病棟のナースセンターで輸液装置２に着脱部１３で接続された無線通信装置１０は、輸液ポンプ２と共に、ベッドサイドに配置される。
そして、輸液装置２により輸液チューブを介して薬剤の投与が開始されると、図３のＳＴ１に進む。ＳＴ１では、図２の輸液装置２内の送信用データ記憶部２３にデータが記憶されているか否かが判断される。
具体的には、図２の送信用データ確認部（プログラム）１７が動作し、輸液装置２内の送信用データ記憶部２３に送信用データが記憶されている否かを判断する。この送信用データとしては、輸液装置２の点滴量等の動作データ等である。
【００２３】
そして、ＳＴ１で、送信用データ記憶部２３に注入量（ｍＬ），注入速度（ｍＬ／ｈ）等の送信用データが記憶されている場合は、ＳＴ２に進む。ＳＴ２では、無線通信装置１０が、輸液装置２内の送信用データ記憶部２３の送信用データを取得して、図２等のデータ管理部装置３に送信する。
具体的には、図２の送信用データ送信実行部（プログラム）１８が動作し、輸液装置２の送信用データ記憶部２３内の送信用データを取得し、通信装置１１や無線通信装置用アンテナ１１ａを介して、データ管理部装置３に送信される。
【００２４】
このため、送信用データ送信実行部（プログラム）１８が、機器情報取得部の一例であり、通信装置１１や無線通信装置用アンテナ１１ａ及び送信用データ送信実行部〈プログラム）１８が、送信部の一例となっている。
【００２５】
次いで、ＳＴ３へ進む。ＳＴ３では、ＳＴ２で実行した送信用データの送信が成功したか、すなわち、送信用データがデータ管理部装置３に送信されたか否かが判断される。
具体的には、データ送信結果判断部（プログラム）１９が動作し、通信装置１１等を介して送信された送信用データがデータ管理部装置３で受信されたか否かを判断する。これは、例えば、データ管理部装置３の通信装置の受信信号等から判断する。
このため、データ送信結果判断部（プログラム）１９は、送信状態判断部の一例となっている。
【００２６】
ＳＴ３で、送信用データが、データ管理部装置３で無事、受信された場合は、終了するが、ＳＴ１３で、送信用データの送信が成功しなかった場合、すなわち、送信用データがデータ管理部装置３で無事、受信されなかったと判断された場合は、ＳＴ４へ進む。
ＳＴ４では、無線通信装置１０のアラーム表示装置１５の表示灯を点滅させると共に、アラーム音発生装置１６を動作させて、アラーム音を出力する。
具体的には、図２のアラーム動作部（プログラム）２０が動作し、図２のアラーム表示装置１５を動作させ、例えば、アラーム表示装置１５であるアラーム表示灯を点滅させる。また、同時にアラーム音発生装置１６を動作させ、スピーカ等からアラームを出力させる。
このように、本実施の形態では、送信データが送信されず、送信状態が不適と判断された場合は、警報情報表示部である例えば、アラーム表示装置１５及びアラーム音発生装置１６等が動作する構成となっている。
【００２７】
次いで、ＳＴ５で、所定時間が経過したか否かが判断され、所定時間が経過した場合は、アラーム表示装置１５の表示灯が消灯し、アラーム音発生装置１６のアラーム音の出力が停止される。  
具体的には、図２のアラーム動作時間判断部（プログラム）２１が動作し、図示しないタイマーを時間に基づき判断する。
【００２８】
本実施の形態で用いる輸液装置２は、内蔵バッテリで駆動可能なため、病院内で患者５とともに移動可能であり、薬剤投与中に患者５が、トイレ等に移動することが考えられ、移動場所によっては通信状態が悪い場合もあり、この場合、注入量（ｍＬ），注入速度（ｍＬ／ｈ）等の送信用データは、図１のデータ管理部装置３に送信されない場合がある。
また、輸液装置２、無線通信装置１０及びデータ管理部装置３のいずれかに故障等が発生し、注入量（ｍＬ），注入速度（ｍＬ／ｈ）等の送信用データが、データ管理部装置３に送信されない場合もある。
このような場合、看護師，医師等医療従事者が患者５への輸液装置２の動作状態をモニターすることができず、特に厳重な投与量を求められる昇圧剤や降圧剤等の場合は、大きな問題となる。
この点、本実施の形態では、何らかの不具合で、輸液装置２の注入量（ｍＬ），注入速度（ｍＬ／ｈ），動作状態等のデータが、データ管理部装置３に送信されない場合、早期にその不具合をアラーム等で利用者に報知するので、早期且つ迅速な対応が可能となる。特に、厳重に投与量を管理することが必要な昇圧剤や降圧剤等の薬剤を投与する場合は、安全性をより確実にすることができる。
【００２９】
（第２の実施の形態）
図４は、本発明の第２の実施の形態に係る通信管理システム１００及び輸液装置２及び無線通信装置１０１等の内部構成を示す概略図である。また、図５は、本実施の形態に係る通信管理システム１００の主な動作等を示す概略フローチャートである。
本実施の形態にかかる通信管理システム１００の構成やフローチャートの多くは、第１の実施の形態に係る通信管理システム１と共通するため、重複する部分は、同一符号等として説明を省略し、以下、相違点を中心に説明する。
【００３０】
図５に示す本実施の形態の概略フローチャートに沿って、本実施の形態の通信管理システム１００の動作等を説明しながら、図４の各構成等についても説明する。
先ず、図５のＳＴ１乃至ＳＴ３は、上述の第１の実施の形態と同様であり、ＳＴ３で、データ送信が成功したと判断したときは、ＳＴ３１へ進む。
ＳＴ３１では、送信に失敗したデータを無線通信装置１０１の未送信データ記憶部１１１に記憶する。
具体的には、図４のデータ送信判断／入力部（プログラム）１１２が動作し、データ管理部装置３へのデータ送信に成功したか否かを判断し、失敗したデータを未送信データとして、未送信データ記憶部１１１に記憶する。
このため、未送信データ記憶部１１１が、送信不適情報記憶部の一例となっている。
【００３１】
次いで、ＳＴ３２に進む。ＳＴ３２では、未通信送信データが所定量を超えたか否かが判断される。
具体的には、図４の未送信データ量判断部（プログラム）１１３が動作し、未送信データ記憶部１１１内に記憶されている未送信データが、所定量、例えば記憶容量の８０％以上であるか否かが判断される。記憶容量が８０％を越えると、通常の動作による注入量（ｍＬ），注入速度（ｍＬ／ｈ）等の送信用データの他に、閉塞等の輸液装置２のトラブル等の事象データを格納できない可能性があるためである。  
【００３２】
ＳＴ３２で、所定量以上であると判断された場合は、図５のＳＴ４及びＳＴ５へと進む。ＳＴ４及びＳＴ５は、第１の実施の形態と同様である。なお、再度、データ管理装置３との間で、無線通信が確立されたと判断されると、未送信データ記憶部１１１に記憶された未送信データは、自動的にデータ管理装置３に送信される。
すなわち、本実施の形態では、未送信データが所定量以上である場合に限り、アラーム表示灯の点滅やアラーム音の出力を行う構成となっている。
したがって、間欠的や部分的に僅かに、データの送信失敗があった場合は、アラーム表示灯の点滅等の警報の報知が実行されないので、必要以上に警報が報知されるという事態の発生を未然に防止することができ、適切な警報の報知を担保することができる。
【００３３】
本発明は、上述の各実施の形態に限定されない。上述の各実施の形態では、医療機器として輸液装置を例に説明したが、本発明は、これに限らず蠕動式輸液ポンプ、シリンジポンプ等でも構わない。
【符号の説明】
【００３４】
１、１００・・・通信管理システム、２・・・輸液装置、３・・・データ管理部装置、４・・・部門システム、５・・・患者、１０・・・無線通信装置、１１ａ・・・無線通信装置用アンテナ、１１・・・通信装置、１２・・・無線通信装置制御部、１３・・・着脱部、１５・・・アラーム表示装置、１６・・・アラーム音発生装置、１７・・・送信用データ確認部（プログラム）、１８・・・送信用データ送信実行部（プログラム）、１９・・・データ送信結果判断部（プログラム）、２０・・・アラーム動作部（プログラム）、２１・・・アラーム動作時間判断部（プログラム）、２２・・・輸液装置本体部、２３・・・送信用データ記憶部、２４・・・輸液装置制御部、１１１・・・未送信データ記憶部、１１２・・・データ送信判断／入力部（プログラム）、１１３・・・未送信データ量判断部（プログラム）
【図１】
0005426975.tif 000002
【図２】
0005426975.tif 000003
【図３】
0005426975.tif 000004
【図４】
0005426975.tif 000005
【図５】
0005426975.tif 000006